【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
少なくとも１つのトラックが隣接トラックに部分的に重なる瓦様式で配列された複数のデータトラックを有するトラックのバンドを含むデータ格納媒体と、
コントローラであって、
各区分が少なくとも１つのトラックを包含する、少なくとも第１の区分および第２の区分に前記トラックのバンドを仮想的に分割するように、
前記第１の区分のための第１の読み出し‐修正‐書き込み‐書き込み操作を行うように、ならびに
前記第２の区分のための第２の読み出し‐修正‐書き込み‐書き込み操作を行うように、構成された、コントローラとを備える、装置。
【請求項２】
前記コントローラであって、
前記第１の区分をバッファに読み出すように、
前記バッファ内の前記第１の区分のデータを修正するように、
前記第１の区分を第１のスクラッチパッドに書き込むように、および
前記データ格納媒体上で前記第１の区分に対応する物理的に隣接するトラックに前記第１の区分の全てよりも少ない部分を書き込むように、更に構成された、前記コントローラを備える、請求項１に記載の装置。
【請求項３】
前記コントローラであって、
前記第２の区分を前記バッファに読み出すように、
前記バッファ内の前記第２の区分のデータを修正するように、
前記第１の区分の少なくとも最後のトラックを含む前記第２の区分を第２のスクラッチパッドに書き込むように、および
前記データ格納媒体上で前記第２の区分に対応する物理的に隣接するトラックに前記第２の区分の全てよりも少ない部分を書き込むように、更に構成された、前記コントローラを備える、請求項１または２に記載の装置。
【請求項４】
前記第１の区分の全てよりも少ない前記部分は、前記第１の区分から前記第１の区分の最後の隣接トラックを引いたものである、請求項１〜３のいずれか１項に記載の装置。
【請求項５】
前記第２の区分の全てよりも少ない前記部分は、前記第２の区分から前記第２の区分の最後の隣接トラックを引いたものである、請求項１〜４のいずれか１項に記載の装置。
【請求項６】
前記コントローラであって、
前記バンド内の全てのトラックが対応する読み出し‐修正‐書き込み‐書き込み操作を経るまで、任意の付加的な区分のための読み出し‐修正‐書き込み‐書き込み操作を行うことを繰り返すように、および
区分内の最後のトラックが、前記バンドを前記バンド内に無い他のトラックから分離する物理的ガードバンドである場合、前記バンドのための読み出し‐修正‐書き込み‐書き込み操作を行うことを停止するように、更に構成された、前記コントローラを備える、請求項１に記載の装置。
【請求項７】
第１のスクラッチパッドと、
第２のスクラッチパッドと、
前記第１の読み出し‐修正‐書き込み‐書き込み操作の間に前記第１の区分を前記第１のスクラッチパッドに書き込むように、および前記第２の読み出し‐修正‐書き込み‐書き込み操作の間に前記第２の区分を前記第２のスクラッチパッドに書き込むように、更に構成された、前記コントローラとを更に備える、請求項１〜６のいずれか１項に記載の装置。
【請求項８】
前記バンドの付加的な区分のための更なる読み出し‐修正‐書き込み‐書き込み操作のために、前記第１のスクラッチパッドへの書き込みと前記第２のスクラッチパッドへの書き込みとを交互に行うように更に構成された前記コントローラを備える、請求項７に記載の装置。
【請求項９】
前記第１の区分は、前記バンドの物理的に隣接するトラックの第１の範囲を含み、
前記第２の区分は、前記バンドの物理的に隣接するトラックの第２の範囲を含み、
前記第２の区分の最初のトラックは、前記第１の区分の最後のトラックに隣接することを更に備える、請求項１〜８のいずれか１項に記載の装置。
【請求項１０】
各区分が少なくとも１つのトラックを包含する、少なくとも第１の区分および第２の区分にデータ格納媒体のトラックの瓦バンドを分割することと、
前記第１の区分のための第１の読み出し‐修正‐書き込み‐書き込み操作を行うことと、
前記第２の区分のための第２の読み出し‐修正‐書き込み‐書き込み操作を行うこととを含む、方法。
【請求項１１】
少なくとも１つのトラックが隣接トラックに部分的に重なる様式で配列された複数の重なったデータトラックを有するトラックの複数の瓦バンドを含む、前記データ格納媒体を更に備える、請求項１０に記載の方法。
【請求項１２】
前記第１の読み出し‐修正‐書き込み‐書き込み操作と前記第２の読み出し‐修正‐書き込み‐書き込み操作との間に論理的ガードバンドを実装することを更に含む、請求項１０または１１に記載の方法。
【請求項１３】
前記瓦バンド内の全てのトラックが対応する読み出し‐修正‐書き込み‐書き込み操作を経るまで、任意の付加的な区分のための読み出し‐修正‐書き込み‐書き込み（ＲＭＷＷ）操作を行うことと、
区分内の最後のトラックが、前記瓦バンドを前記バンド内に無い他のトラックから分離する物理的ガードバンドである場合、前記バンドのためのＲＭＷＷ操作を行うことを停止することとを更に含む、請求項１０に記載の方法。
【請求項１４】
２つの連続する読み出し‐修正‐書き込み‐書き込み操作に対応する区分間に浮動する論理的ガードバンドを実装することを更に含む、請求項１３に記載の方法。
【請求項１５】
浮動する論理的ガードバンドを実装することと、ＲＭＷＷ操作を通して最後に処理された区分と、ＲＭＷＷ操作を通して処理されることになる次の区分との間に前記浮動する論理的ガードバンドを移動することとを更に含む、請求項１３に記載の方法。
【請求項１６】
前記第１の読み出し‐修正‐書き込み‐書き込み操作の間に前記第１の区分を第１のスクラッチパッドに書き込むことと、
前記第２の読み出し‐修正‐書き込み‐書き込み操作の間に前記第２の区分を第２のスクラッチパッドに書き込むこととを更に含む、請求項１０〜１５のいずれか１項に記載の方法。
【請求項１７】
前記瓦バンドの付加的な区分に対応する付加的な読み出し‐修正‐書き込み‐書き込み操作の交互の反復のために、前記第１のスクラッチパッドおよび前記第２のスクラッチパッドへの書き込みを交互に行うことを更に含む、請求項１６に記載の方法。
【請求項１８】
命令がプロセッサによって実行されると、
各区分が少なくとも１つのトラックを包含する、少なくとも第１の区分および第２の区分にデータ格納媒体のトラックの瓦バンドを分割することと、
前記第１の区分のための第１の読み出し‐修正‐書き込み‐書き込み操作を行うことと、
前記第２の区分のための第２の読み出し‐修正‐書き込み‐書き込み操作を行うこととを含む方法を前記プロセッサに行わせる、前記命令を格納するコンピュータで読み出し可能なデータ格納媒体を備える、装置。
【請求項１９】
命令がプロセッサによって実行されると、
前記第２の読み出し‐修正‐書き込み‐書き込み操作が完了した後に、物理的ガードバンドではない論理的ガードバンドを前記第１の読み出し‐修正‐書き込み‐書き込み操作と前記第２の読み出し‐修正‐書き込み‐書き込み操作との間に実装することを更に含む前記方法を前記プロセッサに行わせる、前記命令を格納する前記コンピュータで読み出し可能なデータ格納媒体を備える、請求項１８に記載の装置。
【請求項２０】
命令がプロセッサによって実行されると、
前記第１の読み出し‐修正‐書き込み‐書き込み操作の間に前記第１の区分を第１のスクラッチパッドに書き込むことと、
前記第２の読み出し‐修正‐書き込み‐書き込み操作の間に前記第２の区分を第２のスクラッチパッドに書き込むことと、を更に含む、前記方法を前記プロセッサに行なわせる、前記命令を格納する前記コンピュータで読み出し可能なデータ格納媒体を備える、請求項１８に記載の装置。